(57)【要約】【課題】動画撮影途中で交換レンズを交換する場合でも、編集作業を行うことなくユーザが意図する動画を簡単に作成することができる。【解決手段】  撮影機器は、撮影機器本体に複数の交換レンズを選択的に取り付けて動画撮影可能な撮影機器において、上記交換レンズの着脱を検知する着脱検知部と、上記動画撮影中に上記着脱検知部の検知結果に従って、上記動画撮影の中断、再開を制御する撮影制御部と、上記動画撮影の中断前の動画像と上記動画撮影の再開後の動画像とを１つの映像ファイルとして記録する記録制御部とを具備したことを特徴とする。【選択図】図１
2012019355.tif 000002
【特許請求の範囲】
【請求項１】
撮影機器本体に複数の交換レンズを選択的に取り付けて動画撮影可能な撮影機器において、
上記交換レンズの着脱を検知する着脱検知部と、
上記動画撮影中に上記着脱検知部の検知結果に従って、上記動画撮影の中断、再開を制御する撮影制御部と、
上記動画撮影の中断前の動画像と上記動画撮影の再開後の動画像とを１つの映像ファイルとして記録する記録制御部と
を具備したことを特徴とする撮影機器。
【請求項２】
上記撮影機器本体の姿勢を判定する姿勢判定部を具備し、
上記撮影制御部は、上記着脱検知部の検知結果だけでなく、上記姿勢判定部の判定結果に従って、上記動画撮影の中断を制御する
ことを特徴とする請求項１に記載の撮影機器。
【請求項３】
上記撮影機器本体の姿勢を判定する姿勢判定部を具備し、
上記撮影制御部は、上記着脱検知部の検知結果だけでなく、上記姿勢判定部の判定結果に従って、上記動画撮影の再開を制御する
ことを特徴とする請求項１に記載の撮影機器。
【請求項４】
上記撮影制御部は、上記着脱検知部の検知結果によって上記交換レンズが装着されたことが示された後、上記交換レンズのフォーカス制御が終了した後に、上記動画撮影の再開を制御する
ことを特徴とする請求項１に記載の撮影機器。
【請求項５】
上記記録制御部は、上記動画撮影の中断前の動画像に基づく映像ファイルと上記動画撮影の再開後の動画像に基づく映像ファイルとを結合して１つの映像ファイルとして記録する
ことを特徴とする請求項１に記載の撮影機器。
【請求項６】
上記記録制御部は、上記動画撮影の中断前の動画像に及び上記動画撮影の再開後の動画像のうち上記姿勢判定部の判定結果によって上記撮影機器本体の姿勢が不安定であると判定された期間の動画像を上記映像ファイルとして記録しない
ことを特徴とする請求項１に記載の撮影機器。
【請求項７】
上記記録制御部は、上記動画撮影の中断前の動画像に及び上記動画撮影の再開後の動画像のうち輝度変化が所定値を超える期間の動画像を上記映像ファイルとして記録しない
ことを特徴とする請求項１に記載の撮影機器。
【発明の詳細な説明】
【技術分野】
【０００１】
本発明は、複数の交換レンズを選択的に装着して動画像を撮像可能な撮影機器に関する。
【背景技術】
【０００２】
近年、デジタルカメラなどの撮影機能付き携帯機器（撮影機器）は、静止画のみならず、動画撮影機能を有するものが多い。また、デジタル一眼レフカメラの分野では、交換レンズやアクセサリーをシステム的に着脱、または拡張自在に構成して、種々のシーンに対応している。この種の撮影機器においては、交換レンズからカメラ本体に交換レンズ情報を送信し、カメラ本体において処理変数などを書き換えるものがある。
【０００３】
ところで、動画撮影中において、撮影効果を高めるために交換レンズを交換することが考えられる。この場合には、動画撮影を停止させ、電源をオフにした後に交換レンズを交換し、電源を再投入して動画撮影を再開することになる。しかしながら、このような撮影方法では、交換レンズの交換前後において異なる動画ファイルが生成されてしまい、十分な撮影効果が得られないことが考えられる。
【０００４】
そこで、特許文献１においては、撮影された複数の動画データを編集する方法が提案されている。
【先行技術文献】
【特許文献】
【０００５】
特開平１０−２１５４３４号公報
【発明の概要】
【発明が解決しようとする課題】
【０００６】
しかしながら、特許文献１の方法では、撮影後に編集作業を行うことになり、ユーザが意図する動画を得るために煩雑な作業が必要となるという問題があった。
【０００７】
本発明は、動画撮影途中で交換レンズを交換する場合でも、編集作業を行うことなくユーザが意図する動画を簡単に作成することができる撮影機器を提供することを目的とする。
【課題を解決するための手段】
【０００８】
本発明に係る撮影機器は、撮影機器本体に複数の交換レンズを選択的に取り付けて動画撮影可能な撮影機器において、上記交換レンズの着脱を検知する着脱検知部と、上記動画撮影中に上記着脱検知部の検知結果に従って、上記動画撮影の中断、再開を制御する撮影制御部と、上記動画撮影の中断前の動画像と上記動画撮影の再開後の動画像とを１つの映像ファイルとして記録する記録制御部とを具備したことを特徴とする。
【発明の効果】
【０００９】
本発明によれば、動画撮影途中で交換レンズを交換する場合でも、編集作業を行うことなくユーザが意図する動画を簡単に作成することができるという効果を有する。
【図面の簡単な説明】
【００１０】
【図１】本発明の第１の実施の形態に係る撮影機器の回路構成を示すブロック図。
【図２】図１中の撮影機器１０の外観及び撮影機器１０に取り付けられる交換レンズを示す説明図。
【図３】図２中の交換レンズ２０ｂ，２０ｃの回路構成を示すブロック図。
【図４】本実施の形態における動作を説明するためのタイミングチャート。
【図５】カメラ制御を示すフローチャート。
【図６】交換レンズの着脱の様子を示す説明図。
【図７】図６の着脱前後において撮像された画像を示す説明図。
【図８】図８は本発明の第２の実施の形態に係るフローチャート。
【図９】図８中のステップＳ２７の具体的な処理の一例を示すフローチャート。
【図１０】図９の処理を説明するための説明図。
【図１１】図９の処理を説明するための波形図。
【発明を実施するための形態】
【００１１】
以下、図面を参照して本発明の実施の形態について詳細に説明する。
【００１２】
（第１の実施の形態）
図１は本発明の第１の実施の形態に係る撮影機器の回路構成を示すブロック図である。図２は図１中の撮影機器１０の外観及び撮影機器１０に取り付けられる交換レンズを示す説明図である。また、図３は図２中の交換レンズ２０ｂ，２０ｃの回路構成を示すブロック図である。
【００１３】
図２において、撮影機器１は、撮影機器本体２の前面にレンズマウント部３を有して交換レンズ２０ａ，２０ｂ，２０ｃ（以下、代表して交換レンズ２０という）等を取り付け可能である。また、撮影機器本体２の上部には、撮影開始終了ボタン４が配設されている。
【００１４】
撮影機器本体２のレンズマウント部３には、レンズ交換スイッチ５が設けられている。レンズ交換スイッチ５は、交換レンズ２０がレンズマウント部３に着脱される毎に状態が切換るようになっている。レンズ交換スイッチ５の状態を検出することで、交換レンズ２０がレンズマウント部３に装着されているか否かを把握することが可能である。
【００１５】
また、撮影機器本体２の上面には、図示しない取付部によってストロボ６が着脱自在に取り付けられるようになっている。
【００１６】
（回路構成）
撮影機器１の撮影機器本体２には本体回路部１０が内蔵されている。図１に示すように、本体回路部１０には、通信部１２，１３が設けられている。一方、装着される交換レンズ２０ａ〜２０ｃには交換レンズ回路部２１ａ〜２１ｃ（図３参照）（以下、代表して交換レンズ回路部２１という）が内蔵されている。交換レンズ回路部２１にも通信部２３が設けられている。本体回路部１０の通信部１２は、交換レンズ回路部２１の通信部２３との間で、相互に情報を送受することができるようになっている。
【００１７】
また、ストロボ６には、ストロボ回路部３０が内蔵されている。ストロボ回路部３０にも通信部３３が設けられている。本体回路部１０には、通信部１３も設けられており、本体回路部１０の通信部１３は、ストロボ回路部３０の通信部３３との間で、相互に情報を送受することができるようになっている。
【００１８】
交換レンズ２０ａは、望遠レンズ部２６ａを有している。望遠レンズ部２６ａは、駆動部２５に駆動されることで合焦を可能にするオートフォーカス機能を備えている。また、交換レンズ２０ｂはズームレンズによって構成されたズームレンズ部２６ｂを有している。ズームレンズ部２６ｂはズームリング２７の手動操作によってズームが行われる。また、レンズ部２６ｂにおいても、駆動部２５に駆動されることで合焦を可能にするオートフォーカス機能も備えている。また、交換レンズ２０ｃは、広角レンズ部２６ｃを有している。広角レンズ部２６ｃは、駆動部２５に駆動されることで合焦を可能にするオートフォーカス機能を備えている。
【００１９】
各交換レンズ２０ａ〜２０ｃのレンズ制御部２２は、本体回路部１０に制御されて、駆動部２５を制御して、望遠レンズ部２６ａ、ズームレンズ部２６ｂ又は広角レンズ部２６ｃ（以下、代表してレンズ部２６という）を駆動し、レンズ部２６における絞り、ピント、ズーム等を制御することができるようになっている。
【００２０】
レンズ制御部２２の通信部２３は、所定の伝送路を介して本体回路部１０の通信部１２との間で情報の送受を行う。レンズ制御部２２は、本体回路部１０の通信部１２との間の通信が確立すると、レンズに関する情報を通信部２３によって本体回路部１０に送信させることができる。これにより、本体回路部１０は、交換レンズ２０のズーム倍率、焦点距離、明るさナンバー等を認識することができる。なお、本実施の形態においては交換レンズ２０ａ〜２０ｃに限らず種々の交換レンズを採用することができる。
【００２１】
ストロボ回路部３０は発光部３６を有している。ストロボ制御部３２は、本体回路部１０に制御されて、駆動部３５を制御して、発光部３６を発光させるようになっている。
【００２２】
本実施の形態においては、レンズマウント部３に設けたレンズ交換スイッチ５の状態は、本体回路部１０の着脱検知部５ａによって検知されるようになっている。着脱検知部５ａは、レンズ交換スイッチ５の状態によって交換レンズ２０がレンズマウント部３に取り付けられているか取り外されているかを検出し、着脱検知結果を信号処理及び制御部１１に出力するようになっている。
【００２３】
本体回路部１０は、ＣＣＤやＣＭＯＳセンサ等の撮像素子によって構成された撮像部１４を有している。交換レンズ２０からの被写体の光学像は、撮像部１４を構成する撮像素子の撮像面に結像するようになっている。この撮像部１４は、信号処理及び制御部１１によって駆動制御される。信号処理及び制御部１１は、撮像部１４に撮像素子の駆動信号を出力すると共に、撮像素子が光学像を光電変換して得た画像信号を取り込む。
【００２４】
信号処理及び制御部１１は、撮像素子の光電変換によって得られた画像信号に対して、所定の信号処理、例えば、色信号生成処理、マトリックス変換処理、その他各種のデジタル処理を行う。信号処理及び制御部１１は、画像信号及び音声信号等の記録に際して、符号化処理を施して圧縮した画像情報及び音声情報等を出力することもできるようになっている。
【００２５】
また、本体回路部１０には、時計部１７、操作判定部１８も配設されている。時計部１７は信号処理及び制御部１１が用いる時間情報を発生する。操作判定部１８は、撮影機器１に設けられた撮影開始終了ボタン４や撮影モード設定等の図示しない各種スイッチに対するユーザ操作に基づく操作信号を発生して、信号処理及び制御部１１に出力するようになっている。信号処理及び制御部１１は、操作信号に基づいて、各部を制御する。
【００２６】
また、本体回路部１０には、記録再生部１６及び本体表示部１９が設けられている。記録再生部１６は、信号処理及び制御部１１からの画像情報及び音声情報を図示しない記録媒体に記録することができるようになっている。なお、記録再生部１６としては例えばカードインターフェースを採用することができ、記録再生部１６はメモリカード等に画像情報及び音声情報等を記録可能である。また、記録再生部１６は、記録媒体に記録された画像情報及び音声情報を読み出して信号処理及び制御部１１に供給することができる。信号処理及び制御部１１は、記録再生部１６からの画像情報及び音声情報を復号化して、画像信号及び音声信号を得ることができるようになっている。
【００２７】
本体表示部１９は、撮像部１４からの撮像画像や記録再生部１６からの再生画像が信号処理及び制御部１１から供給されて、これらの画像表示を行うことができる。また、本体表示部１９は信号処理及び制御部１１に制御されて、撮影機器１の操作を行うためのメニュー表示等を表示することもできるようになっている。
【００２８】
本実施の形態においては、信号処理及び制御部１１、記録再生部１６及び本体表示部１９は、撮像部１４からの撮像信号に基づく動画像についての処理が可能である。即ち、信号処理及び制御部１１は、撮像部１４からの撮像信号に所定の信号処理を施して動画像の映像信号を生成すると共に、この映像信号を本体表示部１９に与えて表示させる。また、信号処理及び制御部１１は、生成した映像信号を圧縮して記録再生部１６に与える。記録再生部１６は、信号処理及び制御部１１からの映像信号を図示しない記録媒体に記録すると共に、記録媒体に記録されている映像信号を読み出して信号処理及び制御部１１に出力することができる。信号処理及び制御部１１は記録再生部１６からの映像信号を復号化して、本体表示部１９に与えて表示させることができる。
【００２９】
本実施の形態においては、信号処理及び制御部１１は、生成した映像信号を記録再生部１６に与えて記録させる場合には、ユーザ操作に基づいて記録した映像信号のファイル化を行うようになっている。なお、ファイル化によって、記録再生部１６に記録されてファイル化された映像信号（以下、映像ファイルという）に対してユーザ操作に基づく各種処理、例えば再生処理が可能となる。
【００３０】
更に、本実施の形態においては、信号処理及び制御部１１は、映像信号を生成して記録再生部１６に与えて記録させる記録処理の中断及び再開を制御することができるようになっている。また、更に、信号処理及び制御部１１は、記録再生部１６を制御して、ファイル化されて記録媒体に記録されている２つの映像ファイルを結合して、１つの映像ファイルとして記録媒体に記録させることもできるようになっている。
【００３１】
本実施の形態においては、信号処理及び制御部１１は、記録処理の中断及び再開並びに映像ファイルの結合処理を、着脱検知部５ａの着脱検知結果によって制御するようになっている。
【００３２】
なお、本実施の形態においては、着脱検知部５ａによって交換レンズ２０の着脱を検出したが、交換レンズ２０の着脱を他の方法によって検出するようにしてもよい。例えば、信号処理及び制御部１１は、通信部１２，２３の間の通信の可否を検出して交換レンズ２０の着脱を判定するようにしてもよい。
【００３３】
次に、このように構成された実施の形態の作用について図４乃至図７を参照して説明する。図４は本実施の形態における動作を説明するためのタイミングチャートであり、図５はカメラ制御を示すフローチャートである。また、図６は交換レンズの着脱の様子を示す説明図であり、図７は図６の着脱前後において撮像された画像を示す説明図である。
【００３４】
従来、交換レンズ２０の交換に際しては、電源をオフにする。図４（ａ）はこの作業を説明するためのものであり、ハイレベル（以下、Ｈレベル）が電源投入状態を示し、ローレベル（以下、Ｌレベル）が電源オフ時を示している。電源を投入後に撮影開始終了ボタン４を押して撮影を開始するものとする。図４ではＨレベルが撮影状態を示し、Ｌレベルが撮影終了状態を示している。
【００３５】
レンズ交換を行う期間（図４のＨレベル）の前に、ユーザは撮影開始終了ボタン４を押して撮影を終了させた後電源をオフにする。そして、電源オフ後にレンズ交換を行う。レンズ交換が終了すると、電源を再度投入し、撮影開始終了ボタン４を押して撮影を再開する。
【００３６】
図４（ａ）に示す操作を行った場合には、撮影開始終了ボタン４の操作に応じて、動画Ａ’及び動画Ｂ’が得られる。これらの動画Ａ’，Ｂ’は別ファイルとして記録されてしまう。
【００３７】
これに対し、本実施の形態においては、図４（ｂ）に示すように、動画撮影途中におけるレンズ交換期間時においても、電源スイッチのオフ操作及び撮影開始終了ボタン４の操作は不要である。本実施の形態においては、レンズ交換が行われると、動画Ａの撮影が中断されると共に、レンズ交換後に撮影が自動的に再開されて、動画Ａに続く動画Ｂが得られる。
【００３８】
即ち、撮影機器１は、電源が投入されると、図５のステップＳ１において、信号処理及び制御部１１が撮影モードが指示されたか否かを判定する。撮影モードが指示されていない場合には、信号処理及び制御部１１は、再生モードが指示されたか否かの判定に移行する。なお、再生モードが指示された場合には、信号処理及び制御部１１は、撮影画像の再生を行う。
【００３９】
撮影モードが指示されると、信号処理及び制御部１１は、ステップＳ２において、撮像部１４からの撮像信号に基づいて、本体表示部１９に撮像画像（スルー画）を表示させる。次に、信号処理及び制御部１１は、撮影操作が行われたか否かを判断する（ステップＳ３）。
【００４０】
撮影操作が行われた場合には、信号処理及び制御部１１は、ステップＳ４において、撮影を開始する。即ち、信号処理及び制御部１１は、撮像部１４からの撮像信号に所定の信号処理を施した後、符号化処理を行って画像情報を記録再生部１６から記録媒体に転送する。こうして、記録再生部１６に転送した画像情報が蓄積される。この状態で、撮影開始終了ボタン４の操作によって撮影の終了が指示されると、信号処理及び制御部１１は、ステップＳ５，Ｓ６から処理をステップＳ７に移行して、ファイル化を行う。これにより、記録再生部１６に転送された画像情報に基づいた映像ファイルが作成される。
【００４１】
次に、ステップＳ４の撮影開始の後、ユーザが交換レンズ２０を交換するものとする。交換レンズ２０がレンズマウント部３から取り外されると、レンズ交換スイッチ５の状態が変化し、この変化が着脱検知部５ａによって検知される。信号処理及び制御部１１は、着脱検知部５ａの検知結果によって交換レンズ２０が取り外されたことを検出すると、ステップＳ８において交換レンズ回路部２１との間の通信を終了させ、次のステップＳ９において交換作業前にカメラ姿勢が変化したか否かを判定する。
【００４２】
姿勢判定部１５は撮影機器本体２の姿勢を検出しており、信号処理及び制御部１１は姿勢判定部１５の判定結果によってカメラ姿勢の変化を検出する。なお、姿勢判定部１５は加速度センサ等によって構成することができる。例えば、信号処理及び制御部１１は撮影機器本体２が１秒間に３０°以上姿勢が変化した場合に撮影機器本体２の姿勢が変化したものと判定する。信号処理及び制御部１１は、交換レンズ２０の交換作業前に撮影機器本体２の姿勢が変化したことを検出すると、この変化後において動画の記録を中断する。例えば、交換レンズ２０の交換作業時において、撮影機器本体２の姿勢が変化することが考えられる。また、信号処理及び制御部１１は、撮影機器本体２の姿勢が変化しないものと判定した場合でも、ステップＳ１１，Ｓ１２において、２秒経過後に動画の記録を中断する。
【００４３】
即ち、本実施の形態においては、交換レンズ２０の交換作業によって、電源スイッチ及び撮影開始終了ボタン４の操作を行うことなく、動画撮影を中断することができる。また、この時点では、記録中の動画のファイル化は行われない。
【００４４】
例えば、いま、交換レンズ２０の交換作業直前において、図７（ａ）に示す風景が撮像されているものとする。図７（ａ）は山４１、川４２、樹木４３を撮影した状態を示している。ここで、人物４５が、交換レンズ２０を交換するために、撮影機器本体２を両手で保持して撮影している状態から、図６に示すように、胸の正面近傍において、交換レンズ２０側が右側に向くように、左手４６で撮影機器本体２を把持する状態に移行するものとする。
【００４５】
このような撮影機器本体２の状態の変化によって、信号処理及び制御部１１は撮影機器本体２が姿勢を変化したことを検出することができる。人物４５は、右手４７で交換レンズ２０を例えば回転させることによって、レンズマウント部３から取り除く。この作業によって、着脱検知部５ａは、交換レンズ２０が取り外されたことを検出することができる。
【００４６】
図７（ｂ）は、ステップＳ１０，Ｓ１２の動画撮影中断直前における撮像画像を示している。図７（ｂ）の例では、画面の略全域に、交換レンズ２０を交換するために交換レンズ２０を把持しようとする人物の右手４７が撮像されている。
【００４７】
次に、信号処理及び制御部１１は、ステップＳ１３において、レンズ交換スイッチ５の状態が変化したか否かを判定する。着脱検知部５ａの検知結果によって、交換レンズ２０が装着されたことが検出されると、信号処理及び制御部１１はステップＳ１４において交換レンズ回路部２１との通信を再開する。
【００４８】
信号処理及び制御部１１は、次のステップＳ１５，Ｓ１６において、撮影機器本体２の姿勢が安定し、オートフォーカス（ＡＦ）が終了したことを検出すると、ステップＳ１７において動画の撮影を再開する。即ち、信号処理及び制御部１１は、撮像部１４からの撮像信号に基づく映像信号を圧縮した後、記録再生部１６に与える。記録再生部１６は、中断した動画記録を再開し映像信号を連続的に記録する。
【００４９】
なお、ステップＳ１５においては、信号処理及び制御部１１は、レンズ交換後に安定した画像を確実に得るために必要な時間と応答速度とを考慮して、例えば、撮影機器本体２の姿勢が０．５秒間安定したか否かを検出する。
【００５０】
図７（ｃ）は動画の撮影再開直後における撮像画像を示している。図７（ｃ）の例は、望遠レンズ部２６ａを有する交換レンズ２０ａで撮影した画像を示している。図７（ｃ）においては、樹木４３に鳥４８が留まっている状態を示している。即ち、図７（ａ）〜（ｃ）は、広角レンズ２６ｃを有する交換レンズ２０ｃで撮影した状態から、交換レンズ２０ｃを取り外して交換レンズ２０ａに交換し、撮影を再開したときの撮像画像の変化を示している。
【００５１】
撮影開始終了ボタン４の操作によって撮影終了が指示されると、信号処理及び制御部１１は処理をステップＳ６からステップＳ７に移行して、記録中の動画像に基づく映像ファイルを生成する。
【００５２】
このように本実施の形態においては、交換レンズの交換前後における一連の動画像を１つの映像ファイルとして記録することができる。この場合において、ユーザは撮影開始終了ボタンや電源スイッチの操作を行う必要はなく、交換レンズの交換作業前後の動画像を連続させて１つの映像ファイルとして記録することができる。これにより、ユーザが意図した撮像画像のファイル化が可能であり、作成された映像ファイルによって、複数の交換レンズを駆使した撮像による高い映像効果を有する動画を作成することができる。
【００５３】
また、交換レンズの交換作業直前の画像を記録することができ、映像ファイルからレンズ交換が行われたことを知ることができる。また、レンズ交換作業後において、撮影機器本体の姿勢が安定し、オートフォーカスが終了した後に動画像の記録を再開させており、見にくい画像が映像ファイルに残ることを防止することができる。
【００５４】
（第２の実施の形態）
図８は本発明の第２の実施の形態に係るフローチャートである。図８において図５と同一の手順については同一符号を付して説明を省略する。本実施の形態におけるハードウェア構成は第１の実施の形態と同様であり、本実施の形態は信号処理及び制御部１１の制御が第１の実施の形態と異なるのみである。
【００５５】
本実施の形態においては、レンズ交換スイッチ５の状態の変化が着脱検知部５ａによって検出されると、信号処理及び制御部１１は、図８のステップＳ２１において、動画像のファイル化を行う。即ち、交換レンズ２０の交換作業が開始されると、信号処理及び制御部１１は、記録再生部１６を制御して、それまでに記録されている動画像をファイル化して映像ファイルを生成する。
【００５６】
交換レンズ２０の交換作業が終了して、着脱検知部５ａによって交換レンズ２０が装着されたことが検出されると、信号処理及び制御部１１はステップＳ２２においてフォーカス位置制御を行い、ステップＳ２３において動画撮影を再開する。これにより、信号処理及び制御部１１は、撮像部１４からの撮像画像に基づく映像信号を圧縮して記録再生部１６に与える。記録再生部１６は、信号処理及び制御部１１からの画像情報の記録を再開する。
【００５７】
以後、ステップＳ６において撮影終了と判断されるまで、同様の動作が繰り返される。撮影終了になると、信号処理及び制御部１１は映像信号をファイル化する。
【００５８】
次に、本実施の形態においては、ステップＳ２６において、信号処理及び制御部１１はレンズ交換が行われたか否かを判定する。ステップＳ４の撮影開始から一度もレンズ交換が行われていない場合には、処理を終了する。ステップＳ４の撮影開始から一度以上レンズ交換が行われている場合には、信号処理及び制御部１１は、次のステップＳ２７において、不要な部分の削除・編集を行った後、ステップＳ２８において、ステップＳ２１，Ｓ２５においてファイル化された全ての映像ファイルを結合して、１つの映像ファイルを生成する。
【００５９】
こうして、本実施の形態においても、交換レンズの交換作業の前後における動画像を１つの映像ファイルとして記録することができる。
【００６０】
図９は図８中のステップＳ２７の具体的な処理の一例を示すフローチャートである。図１０は図９の処理を説明するための説明図であり、図１１は図９の処理を説明するための波形図である。
【００６１】
図９のステップＳ３１においては、信号処理及び制御部１１は、不要部分判定期間において撮影機器本体２が加速度０．２Ｇ以内であったか否かを判定する。図１０は不要部分判定期間を示している。図１０（ａ）は撮影機器本体２に交換レンズ２０ｃが取り付けられている状態を示し、図１０（ｂ）は図１０（ａ）の状態から交換レンズ２０ｃを取り外した状態を示している。更に、図１０（ｃ）は図１０（ｂ）の状態の撮影機器本体２に交換レンズ２０ａを取り付ける状態を示し、図１０（ｄ）は交換レンズ２０ａが取り付けられた撮影機器本体２によって撮影が行われる状態を示している。図１０（ｂ），（ｃ）は撮影機器本体２が交換レンズ２０の交換作業のために傾けられたことを示している。このようなレンズ交換作業の途中においては記録する必要のない画像が撮像される可能性がある。そこで、このようなレンズ交換作業の期間を不要部分判定期間に設定して、この期間中の不要画像を除去する。
【００６２】
例えば、信号処理及び制御部１１は、不要部分判定期間を、着脱検知部５ａによって交換レンズ２０が取り外されたと検出される前の５秒間と取り付けられたと検出された後の５秒間に設定し、この期間について加速度の判定を行う。なお、不要部分判定期間を５秒間としたのは、ユーザが撮影状態からレンズ交換作業を開始し実際に交換レンズが取り外されるまでの時間及び交換レンズが取り付けられてから撮影状態に移行するまでの時間を考慮したものであり、不要部分判定期間として他の時間を設定してもよい。
【００６３】
撮影機器本体２の加速度は、姿勢判定部１５によって検出可能であり、信号処理及び制御部１１は撮影機器本体２の加速度が０．２Ｇよりも大きい場合には、ユーザが交換レンズ２０の交換作業のために撮影機器本体２を動かしたものと判定する。図１１（ａ）は横軸に時間（ｔ）をとり縦軸に加速度（ｇ）をとって、不要部分判定期間における加速度の変化を示している。図１１（ａ）の例では、信号処理及び制御部１１は、閾値を超えるｔ１〜ｔ２の期間において撮影機器本体２を動かしたものと判定する。
【００６４】
信号処理及び制御部１１は、ステップＳ３２においてレンズ交換作業の前に記録された不要部分判定期間の画像（以下、交換前動画像という）（図１０（ｅ））のうち、加速度が０．２Ｇよりも大きいと判定されたコマから最後のコマまでを削除する。また、信号処理及び制御部１１は、ステップＳ３３においてレンズ交換作業後に記録された不要部分判定期間の画像（以下、交換後動画像という）（図１０（ｆ））のうち、最初のコマから加速度が０．２Ｇよりも大きいと判定されたコマまでを削除する。
【００６５】
次のステップＳ３４においては、信号処理及び制御部１１は、不要部分判定期間において、輝度の一致度が５０％以上であるか否かを判定する。即ち、信号処理及び制御部１１は、不要部分判定期間の最初のコマと交換前動画像内の各コマとの輝度の平均値を比較し、輝度の一致度が５０％未満であると判定された場合には、例えばレンズ交換のためにレンズ部分を手が覆っていると判断する。同様に、信号処理及び制御部１１は、不要部分判定期間の最後のコマと交換後動画像内の各コマとの輝度の平均値を比較し、輝度の一致度が５０％未満であると判定された場合にも、例えばレンズ交換のためにレンズ部分を手が覆っていると判断する。
【００６６】
図１１（ｂ），（ｃ）は横軸に明度をとり縦軸に画像内の画素数を示している。図１１（ｂ）は通常撮影時における特性を示し、図１１（ｃ）は不要部分判定期間における特性を示している。図１１（ｂ）に示すように、通常撮影時においては各画素の明度は一様に分布している。これに対し、図１１（ｃ）の実線に示すレンズ交換前の不要部分判定期間においては、明度が比較的低い画素が極めて多く、明度が比較的低い画素は少ない。逆に、図１１（ｃ）の破線に示すレンズ交換後の不要部分判定期間においては、明度が比較的低い画素が少なく、明度が比較的高い画素が多い。
【００６７】
このような明度の分布の変化は、レンズ交換作業に際してレンズを手で覆ったり、レンズ交換後にレンズが空を向くこと等によって生じるものと考えられる。
【００６８】
信号処理及び制御部１１は、このような変化を輝度の一致度によって判定する。即ち、信号処理及び制御部１１は、輝度の一致度が５０％未満であると判定した場合には、ステップＳ３５において、交換前動画像のうち輝度の一致度が５０％未満であると判定されたコマから最後のコマまでを削除する。また、信号処理及び制御部１１は、ステップＳ３６において、交換後動画像のうち最初のコマから輝度の一致度が５０％未満であると判定されたコマまでを削除する。図８のステップＳ２８において、除去されたコマを除く動画像同士が結合されて、１つの映像ファイルが作成される。
【００６９】
このように本実施の形態においては、不要部分判定期間において、レンズ交換作業に伴う画像の乱れが記録されることを防止することができる。
【００７０】
なお、本実施の形態においては、加速度及び輝度の一致度によって、画像を削除する不要部分を決定したが、他の手法によって不要部分を決定してもよい。例えば、図７（ａ），（ｃ）の例では、交換前動画像と交換後動画像とは、樹木４３や鳥４８を被写体としており、合焦距離は略一致していると考えることができる。そこで、不要部分判定期間において合焦距離が±１０％以上離れた場合に、その期間の動画像を除去するように不要部分を決定してもよい。
【００７１】
本実施の形態においては、レンズ交換前の動画像とレンズ交換後の動画像とをファイル化した後、不要部分を除去する例について説明したが、レンズ交換前の動画像とレンズ交換後の動画像とをファイル化することなく不要部分を除去するようにしてもよい。
【符号の説明】
【００７２】
５ａ…着脱検知部、１０…本体回路部、１１…信号処理及び制御部、１４…撮像部、１５…姿勢判定部、１６…記録再生部、１９…本体表示部、２１ａ…交換レンズ。
【図１】
2012019355.tif 000003
【図２】
2012019355.tif 000004
【図３】
2012019355.tif 000005
【図４】
2012019355.tif 000006
【図５】
2012019355.tif 000007
【図６】
2012019355.tif 000008
【図７】
2012019355.tif 000009
【図８】
2012019355.tif 000010
【図９】
2012019355.tif 000011
【図１０】
2012019355.tif 000012
【図１１】
2012019355.tif 000013